(57)【要約】【課題】ソーラーパネル設置架台を提供する。【解決手段】ソーラーパネル設置架台は矩形筐体を備える。矩形筐体は二つの横棒および二つの縦棒から囲まれて構成され、頂面および底面を有する。ソーラーパネルは矩形筐体内に装着される。二つの縦棒はそれぞれ外側にフック部を有する。ソーラーパネル設置架台が支持梁構造に装着される際、縦棒の外側のフック部は支持梁構造の縦ビームに引っ掛かる。  【選択図】図１
2019190269.tif 000002
【特許請求の範囲】
【請求項１】
二つの横棒および二つの縦棒から囲まれて構成され、頂面および底面を有する矩形筐体を備え、
ソーラーパネルは前記矩形筐体内に装着され、
二つの前記縦棒は、それぞれ外側にフック部を有し、前記フック部は横方向部位および縦方向部位を有し、前記横方向部位は前記縦棒の外側から前記横棒の長軸方向に沿って外部へ伸びて形成され、前記縦方向部位は前記横方向部位の突出端部から前記矩形筐体の前記底面へ伸びて形成されて隣り合う前記縦棒との間が欠け口になることを特徴とする、
ソーラーパネル設置架台。
【請求項２】
前記フック部の前記横方向部位は円弧状を呈することを特徴とする請求項１に記載のソーラーパネル設置架台。
【請求項３】
一つの前記横棒は外側にフック部を有することを特徴とする請求項１に記載のソーラーパネル設置架台。
【請求項４】
それぞれの前記フック部の前記縦方向部位は全て前記矩形筐体の前記底面へ伸びていくことを特徴とする請求項３に記載のソーラーパネル設置架台。
【請求項５】
二つの前記横棒は、それぞれ外側にフック部を有することを特徴とする請求項１に記載のソーラーパネル設置架台。
【請求項６】
一つの前記横棒の外側に位置する前記フック部および二つの前記縦棒の外側に位置する前記フック部は配置方式が同じであり、前記欠け口が前記矩形筐体の前記底面に向かうように形成され、別の一つの前記横棒の外側に位置する前記フック部の向きは別の三つの前記フック部の前記欠け口の向きと逆であることを特徴とする請求項５に記載のソーラーパネル設置架台。
【請求項７】
一つの前記横棒に位置する前記フック部の前記縦方向部位は前記矩形筐体の前記頂面へ伸びていくのに対し、別の三つの前記フック部の前記縦方向部位は前記矩形筐体の前記底面へ伸びていくことを特徴とする請求項６に記載のソーラーパネル設置架台。
【請求項８】
それぞれの前記フック部の前記縦方向部位は全て前記矩形筐体の前記底面に向かうように配置されることを特徴とする請求項５に記載のソーラーパネル設置架台。
【請求項９】
前記ソーラーパネル設置架台を組み合わせて装着する際、二つの上下に配列して隣り合う前記ソーラーパネル設置架台は前記矩形筐体の二つの隣り合う前記横棒の前記フック部が噛み合い、一つの前記横棒の前記フック部の前記縦方向部位が別の一つの隣り合う前記ソーラーパネル設置架台の前記矩形筐体の前記横棒の前記フック部の前記欠け口に入り込むことによって結合することを特徴とする請求項６に記載のソーラーパネル設置架台。
【発明の詳細な説明】
【技術分野】
【０００１】
本発明は、太陽光発電設備に関し、詳しくはソーラーパネル設置架台に関するものである。
【背景技術】
【０００２】
新エネルギーを促進する現在において、太陽光発電は政府によって最も推進されるグリーンエネルギーの一つである。ソーラーパネルの設置方法は、ソーラーパネルを矩形筐体に装着し、続いて矩形筐体を屋根または外壁の鉄架台に装着する。つまり、ソーラーパネル設置架台は屋根材または外壁用建築材として使用されることがなかった。詳しく言えば、ソーラーパネルを屋根に設置する場合、まず一面の屋根を確保することが必要である。続いて一面の屋根に鉄架台を装着し、構造が複雑なキャッチ金具または固定装置によって、ソーラーパネルが装着してある筐体を固定するため、屋上の一面の屋根が二層になることが一般的であり、空間および材料を無駄にする設置方法であった。
【発明の概要】
【発明が解決しようとする課題】
【０００３】
本発明は、屋根材になるだけでなく、防水効果および排水効果が良好であるソーラーパネル設置架台を提供することを主な目的とする。
【課題を解決するための手段】
【０００４】
上述した課題を解決するため、ソーラーパネル設置架台は矩形筐体を備える。ソーラーパネルは矩形筐体内に装着される。矩形筐体は二つの横棒および二つの縦棒から囲まれて構成され、頂面および底面を有する。二つの縦棒はそれぞれ外側にフック部を有する。フック部は横方向部位および縦方向部位を有する。横方向部位は縦棒の外側から横棒の長軸方向に沿って外部へ伸びて形成される。縦方向部位は横方向部位の突出端部から矩形筐体の底面へ伸びて形成される。
【０００５】
比較的好ましい場合、二つの横棒はそれぞれ外側にフック部を有する。そのうちの一つの横棒の外側に位置するフック部は向きがほかの三つのフック部と逆である。
【図面の簡単な説明】
【０００６】
【図１】本発明の第一実施形態によるソーラーパネル設置架台を示す斜視図である。
【図２】本発明の第１実施形態によるソーラーパネル設置架台を示す背面図である。
【図３】固定架台を示す斜視図である。
【図４】本発明の第１実施形態によるソーラーパネル設置架台が固定架台に装着された状態を示す断面図である。
【図５】本発明の第２実施形態によるソーラーパネル設置架台を示す底面図の一部分である。
【図６】本発明の第３実施形態によるソーラーパネル設置架台を示す背面図である。
【図７】本発明の第３実施形態によるソーラーパネル設置架台を示す側面図である。
【図８】本発明の第３実施形態によるソーラーパネル設置架台を二つ連結した状態を示す側面図である。
【図９】本発明の第４実施形態によるソーラーパネル設置架台を示す背面図である。
【図１０】本発明の第５実施形態によるソーラーパネル設置架台を示す斜視図である。
【図１１】本発明の第一実施形態によるソーラーパネル設置架台を支持梁構造に装着した状態を示す斜視図である。
【発明を実施するための形態】
【０００７】
（第１実施形態）
図１から図４に示すように、本発明の第１実施形態によるソーラーパネル設置架台は矩形筐体１０を備える。
【０００８】
ソーラーパネル１３は矩形筐体１０内に装着される。矩形筐体１０は二つの横棒１１および二つの縦棒１２から囲まれて構成され、頂面１４および底面１５を有する。
【０００９】
二つの縦棒１２は、それぞれ外側にフック部２０を有する。それぞれのフック部２０は横方向部位２１および縦方向部位２２を有する。横方向部位２１は縦棒１２の外側から横棒１１の長軸方向に沿って外部へ伸びて形成される。縦方向部位２２は横方向部位２１の突出端部から矩形筐体１０の底面１５へ伸びて形成され、隣り合う縦棒１２との間が欠け口２３になる。
【００１０】
横方向部位２１は上述に限らず、縦棒１２の外側の任意の部位から外部へ伸びて形成されてもよい。横方向部位２１が矩形筐体１０の頂面１４から横棒１１の長軸方向に沿って外部へ伸びて形成されれば最も好ましい。
【００１１】
図３に示すように、屋根またはソーラーパネル設置架台を支える支持梁構造３０は複数の横ビーム３１、複数の縦ビーム３２および底面を支える支持柱３３を有する。縦ビーム３２は開口部が上向きのＵ字型ビームである。本発明によるソーラーパネル設置架台を支持梁構造３０に装着する際、縦棒１２の外側のフック部２０を支持梁構造３０の縦ビーム３２に引っ掛ければ矩形筐体１０が二つの縦ビーム３２の間に跨って配置される。特に隣り合う縦方向部位２２と縦棒１２との間の欠け口２３内に縦ビーム３２のＵ字型壁面を位置させれば最も好ましい。
図４に示すように、上述した構造特徴により、ソーラーパネル設置架台の矩形筐体１０と縦ビーム３２とは結合して防水効果を発揮できるため、ソーラーパネル設置架台の矩形筐体１０の頂面１４が雨に当たる際、雨がソーラーパネル設置架台の矩形筐体１０の頂面１４に沿ってフック部２０の横方向部位２１を流れて縦ビーム３２内に流れ込むことで、縦ビーム３２が導水溝または排水溝のような機能を発揮できる。さらに密封性および防水性を向上させたい場合、欠け口２３に防水シートを増設すればよい。
【００１２】
（第２実施形態）
本発明において、フック部２０は形が第１実施形態に限定されない。図５に示すように、第２実施形態と第１実施形態との違いは次の通りである。
第２実施形態において、フック部２０は横方向部位２１が円弧状を呈し、縦方向部位２２が円弧状の横方向部位２１からソーラーパネル設置架台の矩形筐体１０の底面１５へ伸びて形成される。第２実施形態および第１実施形態は装着方法が同じである。つまり、それぞれの縦棒１２の外側のフック部２０を支持梁構造３０の縦ビーム３２に引っ掛け、隣り合う縦方向部位２２と縦棒１２との間の欠け口２３内に縦ビーム３２のＵ字型壁面を位置させればよい。フック部２０は第１実施形態および第二実施形態によって表現されるが、これらに限定されない。
【００１３】
本発明において、フック部２０は矩形筐体１０の二つの縦棒１２の外側に配置されるが、これに限定されず、横棒１１の外側に配置されてもよい。詳しく言えば、矩形筐体１０に三つまたは四つのフック部２０を配置することができる。横棒１１のフック部２０および縦棒１２のフック部２０は配置方式が異なってもよい。つまり、本発明は二つの縦棒１２の外側のフック部１２を第１実施形態に基づいて配置し、二つの横棒１１の外側のフック部２０を第２実施形態に基づいて配置することができる。
【００１４】
（第３実施形態）
図６から図８に示すように、本発明の第３実施形態によるソーラーパネル設置架台は矩形筐体１０を備える。
【００１５】
ソーラーパネル１３は矩形筐体１０内に装着される。矩形筐体１０は二つの横棒１１および二つの縦棒１２から囲まれて構成され、頂面１４および底面１５を有する。
【００１６】
第３実施形態と第１実施形態との違いは次のとおりである。第３実施形態において、二つの横棒１１および二つの縦棒１２はそれぞれ外側にフック部２０を有する。つまり、矩形筐体１０は四つのフック部２０を有する。二つの縦棒１２の外側のフック部２０は配置方式が第１実施形態と同じである。一つの横棒１１の外側のフック部２０は配置方式が二つの縦棒１２の外側のフック部２０と同じであり、欠け口２３がソーラーパネル設置架台の矩形筐体１０の底面１５に向かうように形成される。別の一つの横棒１１の外側のフック部２０は向きが別の三つのフック部２０の欠け口２３と逆である。つまり、一つの横棒１１に位置するフック部２０の縦方向部位２２はソーラーパネル設置架台の矩形筐体１０の頂面１４へ伸びて形成されるのに対し、別の三つのフック部２０の縦方向部位２２はソーラーパネル設置架台の矩形筐体１０の底面１５へ伸びて形成される。
【００１７】
上述した第３実施形態の構造特徴により、ソーラーパネル設置架台を支持梁構造３０に装着する際、縦棒１２の外側のフック部２０を支持梁構造３０の縦ビーム３２に引っ掛け、隣り合う縦方向部位２２と縦棒１２との間の欠け口２３内に縦ビーム３２のＵ字型壁面を位置させればよい。二つの上下に配列して隣り合うソーラーパネル設置架台の矩形筐体１０は二つの隣り合う横棒１１のフック部２０が噛み合うことによって結合する。つまり一つのソーラーパネル設置架台の矩形筐体１０の一つの横棒１１のフック部２０の縦方向部位２２を別の一つの隣り合うソーラーパネル設置架台の矩形筐体１０の横棒１１のフック部２０の欠け口２３に差し込めれば、図８に示すように複数のソーラーパネル設置架台は連続して連なる構造になり、ソーラーパネル設置架台の間の連結効果および防水効果を良好に発揮できる。
【００１８】
（第４実施形態）
矩形筐体１０の外側辺縁部に分布するフック部２０は向きが異なるが、これに限らず、向きが同じであってもよい。図９に示すように、第４実施形態において、矩形筐体１０の二つの横棒１１および二つの縦棒１２はそれぞれ外側にフック部２０を有する。それぞれのフック部２０は横方向部位２１および縦方向部位２２を有する。横方向部位２１は縦棒１２の外側から横棒１１の長軸方向に沿って外部へ伸びて形成される。縦方向部位２２は横方向部位２１の突出端部から矩形筐体１０の底面１５へ伸びて形成され、隣り合う縦棒１２との間が欠け口２３になる。第４実施形態によるソーラーパネル設置架台を支持梁構造３０に装着する際、それぞれのフック部２０を支持梁構造３０に引っ掛ければよい。
【００１９】
（第５実施形態）
本発明によるソーラーパネル設置架台を支持梁構造３０に装着して固定する際の固定方式は様々である。例えば、キャッチ金具または固定装置を使って固定する方法や矩形筐体１０の横棒１１または縦棒１２の一側によって固定する方法を採用してもよい。或いは図１０および図１１に示すように、本発明の第５実施形態を参考に固定する方法を採用してもよい。
第５実施形態と第１実施形態との違いは次のとおりである。第５実施形態において、矩形筐体１０はさらに二つの突出板１６を有する。二つの突出板１６はそれぞれ横棒１１の底面から下方へ伸びて形成され、少なくとも一つの固定孔１７を有する。ボルトは固定孔１７に差し込まれて矩形筐体１０を支持梁構造３０の横ビーム３１に締め付けて固定する。二つの突出板１６は上述に限らず、縦棒１２に配置されてもよい。
【００２０】
上述をまとめると、本発明によるソーラーパネル設置架台は構造が簡単で着脱およびメンテナンスが容易であり、屋根材にできるため、ソーラーパネル設置架台を屋根に装着する作業が必要なく、建築材を削減し、空間を無駄にせず効果的に使用することができる。
【符号の説明】
【００２１】
１０  矩形筐体
１１  横棒
１２  縦棒
１３  ソーラーパネル
１４  頂面
１５  底面
１６  突出板
１７  固定孔
２０  フック部
２１  横方向部位
２２  縦方向部位
２３  欠け口
３０  支持梁構造
３１  横ビーム
３２  縦ビーム
３３  支持柱
【図１】
2019190269.tif 000003
【図２】
2019190269.tif 000004
【図３】
2019190269.tif 000005
【図４】
2019190269.tif 000006
【図５】
2019190269.tif 000007
【図６】
2019190269.tif 000008
【図７】
2019190269.tif 000009
【図８】
2019190269.tif 000010
【図９】
2019190269.tif 000011
【図１０】
2019190269.tif 000012
【図１１】
2019190269.tif 000013
【外国語明細書】
2019190269000001.pdf